(57)【要約】【課題】地域や方位などの条件に応じて、太陽光発電パネルの傾斜角度を容易に選択することができる太陽光発電パネルの取り付け構造を提供すること。【解決手段】壁面状に装填された外装材１の表面側には、長手方向に沿って互いに上下に対向するようにして係止溝４，５がそれぞれ施されている。この上下の係止溝４，５を利用して、上部および下部取付け部材１１，１２が外装材１に取り付けられている。  上部取付け部材１１に対して、軸受部材２１と支持軸部材１７によるヒンジ機構を介して、フレーム部材１６に装着された状態の太陽光発電パネル１５が、回動可能にかつ着脱可能に取り付けられる。またフレーム部材１６の下端部と下部取付け部材１２との間に支柱体２４が介在されることにより、前記太陽光発電パネル１５は上向きに傾斜した状態に設定される。【選択図】図１
2014084587.tif 000002
【特許請求の範囲】
【請求項１】
建築物の屋外側の垂直面に対して、フレーム部材に装着された状態の太陽光発電パネルを取り付ける太陽光発電パネルの取り付け構造であって、
建築物の前記垂直面に取り付けられたヒンジ機構を介して、前記フレーム部材の上端部が前記垂直面に対して回動可能に取り付けられると共に、前記フレーム部材の下端部と、建築物の前記垂直面との間に支柱体が介在されることにより、前記太陽光発電パネルを上向きに傾斜した状態で取り付けたことを特徴とする太陽光発電パネルの取り付け構造。
【請求項２】
前記ヒンジ機構は、軸受部材と支持軸部材とにより構成され、前記軸受部材と支持軸部材との対向角度が所定の範囲内において、前記軸受部材と支持軸部材とが着脱可能になされ、前記太陽光発電パネルが前記支柱体により上向きに傾斜された範囲においては、前記ヒンジ機構を構成する軸受部材と支持軸部材とは、分離不可能に枢支されていることを特徴とする請求項１に記載された太陽光発電パネルの取り付け構造。
【請求項３】
前記フレーム部材に装着された状態の太陽光発電パネルが取り付けられる前記建築物の垂直面は、矩形状に形成されて上下に連続して壁面状に装填された外装材であって、
前記外装材には、上縁部および下縁部に沿って雄実連結部および雌実連結部がそれぞれ備えられて、前記雄実連結部および雌実連結部を介して上下に壁面状に装填されると共に、前記各外装材の雄実連結部および雌実連結部の表面側に沿って、互いに上下に対向するようにして上部係止溝および下部係止溝が施され、
前記上部係止溝に前記ヒンジ機構が取り付けられる上部取付け部材が装着され、前記下部係止溝に前記支柱体の基端部を支持する下部取り付け部材が装着されていることを特徴とする請求項１または請求項２に記載された太陽光発電パネルの取り付け構造。
【請求項４】
上下に隣接する外装材の各々に、フレーム部材に装着された状態の太陽光発電パネルが取り付けられる太陽光発電パネルの取り付け構造であって、
前記フレーム部材の下端部と、前記下部取り付け部材との間に介在する前記支柱体の長手方向に沿って、反射面が下向きとなる反射板が配置されていることを特徴とする請求項３に記載された太陽光発電パネルの取り付け構造。
【請求項５】
フレーム部材に装着された状態の太陽光発電パネルが取り付けられる前記建築物の垂直面は、手摺構造体の屋外側であり、
前記手摺構造体を構成する上部横桟に前記ヒンジ機構を介して、前記フレーム部材の上端部が回動可能に取り付けられると共に、前記フレーム部材の下端部と、前記手摺構造体を構成する縦桟との間に、前記支柱体が介在されることにより、前記太陽光発電パネルを上向きに傾斜した状態で取り付けたことを特徴とする請求項１または請求項２に記載された太陽光発電パネルの取り付け構造。
【発明の詳細な説明】
【技術分野】
【０００１】
この発明は、例えば建築用外装材の表面側に、またベランダや屋上に設置される手摺構造体の屋外側に、太陽光発電パネルを取り付けるための取り付け構造に関する。
【背景技術】
【０００２】
近年における公共施設や店舗、また戸建住宅等には、意匠および施工性に優れた窯業系外装材（セメント質原料および繊維質原料を用いて板状に成形した外装材）が多用されている。この外装材は、上下の幅寸法が３００〜６００ｍｍ程度、長さ寸法が２０００〜３０００ｍｍ程度になされた各種の規格のものが提供されている。
【０００３】
また、昨今においては再生エネルギーの利用促進の観点から、太陽光発電パネル（ソーラパネル）の利用が注目され、前記した建築用外装材の表面側に太陽光発電パネルを装着しようとする試みがなされている。
例えば特許文献１には、前記した建築用外装材の表面側に可撓性の素材により形成された太陽光発電パネル（アモルファス型パネル）を装着する構成が開示されている。
【０００４】
一方、前記した建築用外装材以外に、建築物のベランダや屋上に設置される手摺構造体の屋外側に、同じく太陽光発電パネルを装着しようとする試みがなされており、これは特許文献２に開示されている。
【先行技術文献】
【特許文献】
【０００５】
【特許文献１】特開２００９−２２１７１７号公報
【特許文献２】特開平１１−１３１３０号公報
【０００６】
ところで、前記特許文献１および２に開示された太陽光発電パネルの取り付け構造によると、建築用外装材や手摺構造体を利用して、太陽光発電パネルをパネル面が垂直となるように取り付けるものである。
これによると、太陽光に対するパネル面の受光効率が悪く、この受光効率の悪さがパネルの発電量に影響を及ぼすものとなる。
【０００７】
太陽光の日射角度は、季節や時刻および地域によっても変化することは周知のとおりであり、例えば東京（北緯３５度）を例にした場合、垂直面を９０度、水平面を０度とし、太陽光発電パネルのパネル面の傾斜角度を上向きの３０度にした状態における年間平均日射量を１００％とすると、前記特許文献１および２に開示されたようにパネル面が垂直（９０度）に設定された場合には、日射量が６７％に低下することが知られている。
【０００８】
これに対して、パネル面の傾斜角度を例えば上向きの５０度とした時には、日射量が９６．５％に向上し、パネル面を水平（０度）とした場合の日射量である８９．３％よりも受光効率が向上することが知られている。
【０００９】
一方、図７は垂直に施工された建築用外装材１の表面に、各外装材１ごとに太陽光発電パネル１５を取り付けた例を示したものであり、各発電パネル１５を支持するフレーム部材１６の上端部は、上部取り付け部材１１によって外装材１の上端部に取り付けられている。また、外装材１の下端部には、下部取り付け部材１２が装着されて、当該下部取り付け部材１２と、前記フレーム部材１６の下端部との間には、両者を連結する支柱体２４が介在されて、各発電パネル１５を上向きに傾斜させた状態で支持している。
なお図７は、上下の外装材１に取り付けられた上側の発電パネル１５の下半部と下側の発電パネル１５の上半部について示している。
【００１０】
図７に示す例は、東京（北緯３５度）において、各発電パネル１５の方位を南向きにすると共に、垂直面に対して１０度上向きに傾けた状態における各発電パネルに当たる季節に応じた太陽光の角度について示したものである。
これによると、夏至の正午の状態においては、矢印Ａで示すように太陽光の角度は垂直に対して１２度傾斜した状態となる。
また矢印Ｂは春分および秋分における正午の状態を示しており、太陽光の角度は垂直に対して３５度傾斜した状態となる。さらに矢印Ｃは冬至における正午の状態を示しており、太陽光の角度は垂直に対して５８度傾斜した状態となる。
【００１１】
したがって、図７に示す各発電パネルの施工状態においては、夏至の正午においては、上側の発電パネル１５の下端部が庇となって、下側の発電パネル１５の上部が影になり、これは夏至の前後の期間において発生することになる。
【００１２】
以上のとおり、発電パネルの傾斜角度は、太陽光に向かって直交する状態になされることが、発電効率の点で理想的であるものの、これは季節に応じて変動することになる。
また、前記したように垂直に施工された例えば建築用外装材の表面側に、各パネル面が上向きとなるように上下に隣接して取り付けた場合には、夏至の前後の期間において、上側の発電パネルの一部が庇となって、発電効率を低下させるという問題も発生する。
【００１３】
したがって、前記した太陽光パネルの発電効率は、地域や季節、発電パネルが取り付けられる壁面の方位角などの様々な条件に応じて変化することになり、これらの条件に応じて発電パネルの傾斜角度について柔軟に対応できる太陽光発電パネルの取り付け構造を提供できることが望ましい。
【発明の概要】
【発明が解決しようとする課題】
【００１４】
この発明は、建築用外装材の表面側に、またベランダや屋上に設置される手摺構造体の表面（屋外）側に対して、所定の傾斜角度をもって太陽光発電パネルを施工することができる太陽光発電パネルの取り付け構造を提供しようとするものであり、条件に応じて発電パネルの傾斜角度を容易に選択することができる太陽光発電パネルの取り付け構造を提供することを課題とするものである。
またこの発明は、太陽光発電パネルを取り付け施工するに際し、その施工操作も容易になし得るようにした発電パネルの取り付け構造を提供することを課題とするものである。
【課題を解決するための手段】
【００１５】
前記した課題を解決するためになされたこの発明にかかる太陽光発電パネルの取り付け構造は、建築物の屋外側の垂直面に対して、フレーム部材に装着された状態の太陽光発電パネルを取り付ける太陽光発電パネルの取り付け構造であって、建築物の前記垂直面に取り付けられたヒンジ機構を介して、前記フレーム部材の上端部が前記垂直面に対して回動可能に取り付けられると共に、前記フレーム部材の下端部と、建築物の前記垂直面との間に支柱体が介在されることにより、前記太陽光発電パネルを上向きに傾斜した状態で取り付けたことを特徴とする。
【００１６】
この場合、前記ヒンジ機構は、軸受部材と支持軸部材とにより構成され、前記軸受部材と支持軸部材との対向角度が所定の範囲内において、前記軸受部材と支持軸部材とが着脱可能になされ、前記太陽光発電パネルが前記支柱体により上向きに傾斜された範囲においては、前記ヒンジ機構を構成する軸受部材と支持軸部材とは、分離不可能に枢支される構成が採用される。
【００１７】
そして、好ましい一つの形態においては、前記フレーム部材に装着された状態の太陽光発電パネルが取り付けられる前記建築物の垂直面は、矩形状に形成されて上下に連続して壁面状に装填された外装材であって、前記外装材には、上縁部および下縁部に沿って雄実連結部および雌実連結部がそれぞれ備えられて、前記雄実連結部および雌実連結部を介して上下に壁面状に装填されると共に、前記各外装材の雄実連結部および雌実連結部の表面側に沿って、互いに上下に対向するようにして上部係止溝および下部係止溝が施され、前記上部係止溝に前記ヒンジ機構が取り付けられる上部取付け部材が装着され、前記下部係止溝に前記支柱体の基端部を支持する下部取り付け部材が装着された構成が採用される。
【００１８】
加えて、上下に隣接する外装材の各々に、フレーム部材に装着された状態の太陽光発電パネルが取り付けられる構成においては、前記フレーム部材の下端部と、前記下部取り付け部材との間に介在する前記支柱体の長手方向に沿って、反射面が下向きとなる反射板が配置されていることが望ましい。
【００１９】
また、この発明に係る好ましい他の一つの形態においては、前記フレーム部材に装着された状態の太陽光発電パネルが取り付けられる前記建築物の垂直面は、手摺構造体の屋外側であり、前記手摺構造体を構成する上部横桟に前記ヒンジ機構を介して、前記フレーム部材の上端部が回動可能に取り付けられると共に、前記フレーム部材の下端部と、前記手摺構造体を構成する縦桟との間に、前記支柱体が介在されることにより、前記太陽光発電パネルを上向きに傾斜した状態で取り付けた構成が採用される。
【発明の効果】
【００２０】
前記した太陽光発電パネルの取り付け構造によると、建築用外装材の表面やベランダもしくは屋上に設置された手摺構造体の屋外側などの垂直面を利用して、フレーム部材に装着された状態の太陽光発電パネルが取り付けられる。
この場合、前記フレーム部材の上端部がヒンジ機構を介して、建築物の垂直面に対して回動可能に装着されると共に、フレーム部材の下端部と前記垂直面との間に支柱体が介在されて発電パネルを上向きに傾斜した状態で取り付けるように構成されるので、例えば長手方向の寸法が異なる複数種類の支柱体を用意することで、発電パネルが施工される地域や方位角などの諸条件に応じてパネルの最適な傾斜角度を容易に選択することができる。
【００２１】
また、太陽光発電パネルが装着されたフレーム部材を支持する前記したヒンジ機構は、軸受部材と支持軸部材との対向角度が所定の範囲内において、軸受部材と支持軸部材とが着脱可能になされるので、発電パネルが装着されたフレーム部材を、前記した所定の範囲内の角度で、ヒンジ機構として連結させて枢支させることができる。
したがって、太陽光発電パネルが装着された状態のフレーム部材の取り付け施工を、容易になし得る取り付け構造を提供することができる。
【００２２】
さらに、太陽光発電パネルが装着された状態のフレーム部材を、壁面状に装填された外装材を利用して取り付ける場合においては、各外装材の表面に互いに上下に対向するようにして形成した係止溝を利用することができる。
この場合、前記外装材の上側の係止溝にヒンジ機構が取り付けられる上部取り付け部材を装着し、前記下側の係止溝に前記支柱体の基端部を支持する下部取り付け部材を装着することで、窯業系の素材により成形されたこの種の外装材の前記した係止溝部分の脆弱性を、上下の取り付け部材によって補強することができる。
【図面の簡単な説明】
【００２３】
【図１】外装材の表面に太陽光発電パネルが装着された状態のフレーム部材を取り付けた第１の形態を示した断面図である。
【図２】図１に示すフレーム部材の上端部を回動可能に支持するヒンジ機構の例を示した拡大断面図である。
【図３】図１に示すＡ−Ａ線より矢印方向に見た状態の発電パネルおよびフレーム部材の一部断面図である。
【図４】外装材の表面に太陽光発電パネルが装着された状態のフレーム部材を取り付けた第２の形態を示した断面図である。
【図５】図４に示す形態に、さらに反射板を装着した例を示した断面図である。
【図６】手摺構造体の屋外側に発電パネルが装着された状態のフレーム部材を取り付けた例を示した断面図である。
【図７】特定な地域における太陽光の日斜角度を説明する模式図である。
【発明を実施するための形態】
【００２４】
この発明に係る太陽光発電パネルの取り付け構造について、図に示す実施の形態に基づいて説明する。
図１は、複数枚の外装材を壁面状に装填し、各外装材の表面に太陽光発電パネル（以下、単にモジュールとも言う。）を取り付けた状態を、面に直交する方向の断面図で示したものである。
【００２５】
図に示す外装材１は、それぞれの長さ寸法が３０００ｍｍ程度、上下の幅寸法が６００ｍｍ程度となるように押し出し加工により成形され、その上縁部に沿って凸状の雄実連結部２が形成され、また下縁部に沿って凹状の雌実連結部３が形成されている。
すなわち、前記外装材１は、前記した雄実連結部２および雌実連結部３を利用して、外装材１の左側に位置する建物の下地材（図示せず）に沿って、順次垂直方向に積み上げられて全体が壁状となるように施工されている。
なお、図１に示した断面図においては、外装材１およびその表面に装着された後述するモジュール等の中央部分は、図示を省略して示している。
【００２６】
また、図１に示す外装材１は、前記した押し出し加工により、その表面側の上縁部に沿って上部係止溝４が下向きに施されており、また下縁部に沿って上向きに下部係止溝５が施されており、これら上下の係止溝４および５は、その溝の向きが図に示すように互いに対向するように形成されている。
そして、外装材１に形成された上部係止溝４には、例えばアルミニウム素材の押し出し成形による上部取付け部材１１の一部が挿入されて、ねじ１３によって外装材１に取り付けられている。また、外装材１に形成された下部係止溝５にも、同じくアルミニウム素材の押し出し成形による下部取付け部材１２の一部が挿入されて、ねじ１４によって外装材１に取り付けられている。
【００２７】
なお、前記した上部取付け部材１１および下部取付け部材１２は、後述するモジュール１５を所定の姿勢で取り付ける作用を果たすと共に、窯業系の素材による前記外装材１の脆弱性を保護するための補強材としての機能も果たすものとなる。
【００２８】
図１に示す前記モジュール１５は、平面状のガラス板を基材として矩形状に成形されたいわゆる結晶系のモジュールであり、このモジュール１５の保護および支持のために、前記モジュール１５はフレーム部材１６に装着されている。
すなわちフレーム部材１６は、モジュール１５の上下に沿う上フレーム１７、下フレーム１８、および前記上フレーム１７と下フレーム１８を連結する複数本の連結材１９とにより構成されており、これらはいずれもアルミニウム素材の押し出し成形によるものである。
【００２９】
前記したモジュール１５を支持するフレーム部材１６の上端部、すなわち上フレーム１７は、外装材１に取り付けられた上部取付け部材１１に対して、ヒンジ機構を介して回動可能に枢支されている。前記ヒンジ機構は、一方を構成する軸受部材２１が六角ボルト２２によって、前記した上部取付け部材１１の一部に取り付けられている。
また、ヒンジ機構の他方を構成する支持軸部材は、この実施の形態においては、前記したフレーム部材の一部を構成する上フレーム１７と一体に形成されている。したがって図においては、前記支持軸部材および上フレームは、同一符号１７で示している。
【００３０】
図２は、前記したヒンジ機構を構成する軸受部材２１と支持軸部材（上フレーム）１７の構成について、拡大断面図で示したものである。
前記軸受部材２１はアルミニウム素材の押し出し成形により形成されており、前記した上部取付け部材１１に対して装着される平坦部２１ａと、これに続いて円筒状の内周面を有する軸孔部２１ｂが形成されている。そして、軸孔部２１ｂの一部にはスリット状の開口部２１ｃが長手方向に沿って形成されている。
【００３１】
一方、前記支持軸部材（上フレーム）１７は、前記モジュール１５の一辺を挟み込んで支持する断面がコ字状に形成された挟持部１７ａが備えられると共に、前記軸受部材２１に形成された軸孔部２１ｂ内に内接して回動可能に枢支される一部が円筒状になされた円筒部１７ｂが形成されている。
【００３２】
前記した軸受部材２１と支持軸部材１７によるヒンジ機構によると、支持軸部材１７が仮想線で描かれた姿勢になされる所定の対向角度において、前記支持軸部材１７の円筒部１７ｂを、前記軸受部材２１に形成されたスリット状の開口部２１ｃを介して、前記軸受部材２１の軸孔部２１ｂ内に挿入することができる。
【００３３】
したがって、この仮想線で示す状態において、前記支持軸部材１７は前記軸受部材２１に対して着脱可能にすることができる。
また、図２に実線で示すように、前記支持軸部材１７を下方に回動させた場合には、支持軸部材１７に形成された円筒部１７ｂは、軸受部材２１の軸孔部２１ｂ内に内接して回動可能に枢支される。これにより軸受部材２１と支持軸部材１７は、分離不可能になされる。
【００３４】
したがって、前記したヒンジ機構を利用することで、予めモジュール１５が装着された状態のフレーム部材１６における前記上フレーム（支持軸部材）１７を、図２に示す仮想線で描かれた姿勢にすることで、前記軸受部材２１に対して上フレーム（支持軸部材）１７を結合することができる。そして、モジュール１５が装着されたフレーム部材１６を、前記ヒンジ機構を介してそのまま吊り下げることができる。
したがって、比較的重量が嵩むモジュール１５が装着されたフレーム部材１６の取り付け施工を容易になし得ることができる。
【００３５】
なお、図３は図１におけるＡ−Ａ線より矢印方向に見た断面図であり、図３に示すように前記したフレーム部材１６の一部を構成する連結材１９は、角筒状に形成されている。この角筒状の連結材１９は、上フレーム１７と下フレーム１８との間の少なくとも２か所において両者を連結して前記したフレーム部材１６を構成し、前記モジュール１５を支持した構成になされている。
【００３６】
図１に戻り、前記したモジュール１５が装着された状態のフレーム部材１６の下端部、すなわち下フレーム１８と、前記外装材１に装着された下部取り付け部材１２との間には、支柱体２４が介在されて、前記モジュール１５が上向きに傾斜した状態に設定されている。前記支柱体２４は、図１内に断面図で示したおり角筒状に形成されており、支柱体２４の一端部は、水平方向に長尺のチャンネル材２５を介して、前記下フレーム１８に対してねじ２６によって連結されている。
また、支柱体２４の他端部は水平方向に長尺のチャンネル材２８を介して、前記下部取付け部材１２に対してボルトナット２９を利用して連結されている。
【００３７】
前記した構成によると、モジュール１５が装着された状態のフレーム部材１６の上端部は、前記した軸受部材２１と支持軸部材１７によるヒンジ機構によって回動可能に枢支されており、したがってフレーム部材１６の下端部に連結される前記した支柱体２４の長手方向の寸法に応じて、モジュール１５の上向きの角度を選択することができる。
よって、前記した太陽光発電パネルの取り付け構造によると、長手方向の寸法が異なる複数種類の支柱体２４を用意することで、モジュール１５が施工される地域や方位角などの諸条件に応じて、適切な長さ寸法の支柱体２４を選択し、モジュール１５の最適な傾斜角度を設定することができる。
【００３８】
図４は、外装材の表面側にモジュールを傾斜状態に取り付ける第２の形態を断面図で示したものであり、すでに説明した図１に示す第１の形態の各部と同一機能を果たす部分を同一符号で示している。したがってその詳細な説明は省略する。
この第２の形態は、ＣＩＧＳ薄膜を用いたフレキシブルなモジュール１５を利用する場合に好適に用いられるものであり、図１に示した形態に比較してフレーム部材１６を構成する上フレーム１７および上フレーム１８に構造上の相異がある。
【００３９】
すなわち、上フレーム１７に対して補助部材１７ｃが長手方向に挿入されることで、前記モジュール１５の一方の端縁を挟み込む断面がコ字状の挟持部が形成されるように構成されている。また下フレーム１８においても同様であり、下フレーム１８に対して補助部材１８ｃが長手方向に挿入されることで、前記モジュール１５の他方の端縁を挟み込む断面がコ字状の挟持部が形成されるように構成されている。
すなわち、この実施の形態においては、上フレーム１７と下フレーム１８は、補助部材１７ｃ，１８ｃを含めてそれぞれ２つの部材により構成されており、他の構成は図１に示した構成と同様である。
【００４０】
図５は、前記した図４に示す構成に加えて、前記モジュールを上向きに設定する支柱体に反射板を装着した例を示すものである。
なお図５は、上下の外装材１に取り付けられた上側のモジュール１５の下半部と下側のモジュール１５の上半部について示しており、図４に示す各部と同一の機能を果たす部分を同一符号で示している。したがってその詳細な説明は省略する。
【００４１】
図５に示す形態においては、前記した支柱体２４の長手方向に沿って、反射面が下向きとなるように反射板（凹面鏡）３１が取り付けられている。この反射板３１は、その幅寸法が前記支柱体２４の長手方向の寸法にほぼ等しくなされ、長さ寸法が前記モジュール１５の長さ寸法、すなわち、フレーム部材を構成する上下のフレーム１７，１８とほぼ等しい寸法になされている。
【００４２】
そして、反射板３１の幅方向の一端部は、外装材１取り付けられた下部取付け部材１２とチャンネル材２８との間の隙間に挿入されて係止され、反射板３１の幅方向の他端部は、前記した支柱体２４に取り付けられた支持部材３３に対して固定クリップ３４を利用して、着脱可能に取り付けられている。
前記した反射板３１としての凹面鏡は、太陽からの直射光以外に、例えば地上の反射光や天空からの散乱光がモジュール１５の発電に有効に寄与できる点に着目したものであり、この構成によりモジュール１５による一層の発電効率の向上を図ることができる。
【００４３】
図６は、手摺構造体の屋外側に、モジュールが装着された状態のフレーム部材を取り付けた例を示した断面図であり、図６に示した断面図においては、手摺構造体およびこれに装着されたモジュールやフレーム部材の高さ方向の一部は、図示を省略して示している。
また図６においては、図４に示す各部と同一の機能を果たす部分を同一符号で示しており、したがってその詳細な説明は省略する。
【００４４】
図６に示す手摺構造体は、ベランダもしくは屋上等におけるコンクリートによる躯体４１の上に取り付けられている。すなわちコンクリートによる躯体４１の上に笠木４２が搭載されると共に、前記躯体４１にブラケット等を介して所定の間隔をおいて手摺支柱４３が垂直に立設されている。
また、各手摺支柱４３の上端部を連結するようにして上面が若干円弧状に形成された手摺棒４４が水平方向に取り付けられており、垂直に立設された前記各手摺支柱４３の間には、前記手摺棒４４と笠木４２とを上下に連結するようにして複数本の縦桟４５が互いに等間隔をおいて取り付けられて手摺構造体を構成している。
【００４５】
図６に示す実施の形態においては、それぞれにモジュール１５が装着されたフレーム部材１６が上下二段に連結され、二段に連結されたフレーム部材１６の上端部が、水平方向に施工された上部の手摺棒４４の外側に、ヒンジ機構を介して取り付けられている。また二段に連結されたフレーム部材の下端部と、前記手摺支柱４３の下端部のとの間には、ほぼ水平方向に支柱体２４が介在されており、これにより、各モジュール１５が上向きに傾斜した状態で取り付けられている。
【００４６】
すなわち図６に示すように、モジュール１５が装着された上側のフレーム部材１６Ａと、モジュール１５が装着された下側のフレーム部材１６Ｂとは、その中央部でチャンネル部材や金属板により構成された連結部４７を介して平面状に連結されている。
そして、上側のフレーム部材１６Ａの上端部は、すでに説明した軸受部材２１と支持軸部材１７とによる着脱可能なヒンジ機構によって、前記した手摺棒４４に対して回動可能に装着（枢支）されている。
【００４７】
またこの形態においては、下側のフレーム部材１６Ｂの下端部は、前記した支柱体２４の一端部に連結されており、この連結部分は上側のフレーム部材１６Ａの上端部と同様に、軸受部材２１と支持軸部材１７とによる着脱可能なヒンジ機構により連結されている。
そして、前記支柱体２４の他端部は、手摺支柱４３の下端部に図示せぬねじ等により締結され、これにより上下二段に連結されたフレーム部材１６Ａ，１６Ｂに装着された各モジュール１５は、それぞれ上向きに傾斜した状態で取り付けられている。
【００４８】
以上の説明により明らかなとおり、この発明に係る太陽光発電パネルの取り付け構造によると、建築物の垂直面に取り付けられたヒンジ機構を介して、太陽光発電パネルが装着された状態のフレーム部材の上端部が回動可能に取り付けられると共に、フレーム部材の下端部には支柱体が介在されることにより、太陽光発電パネルを上向きに傾斜した状態で取り付けた構成が採用されるので、前記した発明の効果の欄に記載したとおりの作用効果を期待することができる。
【符号の説明】
【００４９】
１      外装材
２      雄実連結部
３      雌実連結部
４      上部係止溝
５      下部係止溝
１１    上部取付け部材
１２    下部取付け部材
１５    太陽光発電パネル（モジュール）
１６    フレーム部材
１６Ａ  上側フレーム部材
１６Ｂ  下側フレーム部材
１７    上フレーム（支持軸部材）
１７ａ  挟持部
１７ｂ  円筒部
１７ｃ  補助部材
１８    下フレーム
１８ｃ  補助部材
１９    連結材
２１    軸受部材（ヒンジ機構）
２１ａ  平坦部
２１ｂ  軸孔部
２１ｃ  スリット状開口部
２４    支柱体
２５    チャンネル材
２８    チャンネル材
３１    反射板
３４    固定クリップ
４１    躯体
４２    笠木
４３    手摺支柱
４４    手摺棒
４５    縦桟
４７    連結部
【図１】
2014084587.tif 000003
【図２】
2014084587.tif 000004
【図３】
2014084587.tif 000005
【図４】
2014084587.tif 000006
【図５】
2014084587.tif 000007
【図６】
2014084587.tif 000008
【図７】
2014084587.tif 000009